(57)【特許請求の範囲】
【請求項１】
軸方向の左右双方に移動可能であると共に軸方向に対して直角方向に移動可能で、且つ、回転可能な操作部と、該操作部によって回転操作される回転型電気部品と、前記操作部の軸方向の移動によって操作される第１及び第２のプッシュスイッチと、前記操作部の軸方向に対して直角方向の移動によって操作される第３のプッシュスイッチと、前記操作部の軸部と前記回転型電気部品を操作する軸との間に設けたオルダム接ぎ手とを備え、前記回転型電気部品を操作する軸は、前記オルダム接ぎ手により軸方向に抜け止めされ、前記操作部の軸方向及び回転方向の移動には共に従動し、前記操作部の軸方向に対して直角方向の移動には非従動であり、前記軸は、非円形に形成され、該軸が前記回転型電気部品を貫通して軸方向に移動可能で、且つ回転方向へは前記回転型電気部品を回転可能に係合されており、前記第１及び第２のプッシュスイッチを、前記操作部を挟んで該操作部の両側に配設し、前記操作部の軸方向の移動時、前記回転型電気部品を操作する軸で、前記第１及び第２のプッシュスイッチの何れか一方を、また、前記操作部の軸部で、前記第１及び第２のプッシュスイッチの他方を操作すると共に、前記操作部の回転で、前記オルダム接ぎ手を介して前記軸を回転して前記回転型電気部品を操作し、また、前記操作部を、前記軸部の軸方向に対して直角方向に移動した時、前記第３のプッシュスイッチを操作するものとされ、前記操作部と組み合わされた駆動体と、該駆動体をガイドするガイド部を設け、前記操作部は、前記駆動体をガイドに前記軸部の軸方向に移動可能で且つ回転可能に取り付けられ、前記操作部を、前記軸部の軸方向に対して直角方向に移動した時、前記駆動体が前記ガイド部にガイドされながら、前記操作部の移動方向と同方向に移動すると共に、前記駆動体を介して前記第３のプッシュスイッチを操作するようにしたことを特徴とする多方向入力装置。
【請求項２】
前記ガイド部は、前記駆動体に設けた孔と、この孔に嵌合される支持部材とで構成したことを特徴とする請求項１記載の多方向入力装置。
【請求項３】
前記ガイド部は、ケースに設けた溝部と、この溝部に嵌合する前記駆動体とで構成したことを特徴とする請求項１記載の多方向入力装置。
【請求項４】
前記駆動体は、回転不能で、且つ、前記軸部の軸方向に移動不能に取り付けられ、この駆動体の一部が前記操作部の内部に配設され、該操作部は前記駆動体をガイドにして、回転方向と、前記軸部の軸方向の移動を行うようにしたことを特徴とする請求項１乃至３の何れかに記載の多方向入力装置。
【請求項５】
前記オルダム接ぎ手を、係止部を有する凸部と、係止部を有する凹条部とのはめ合わせで構成し、前記両係止部を互いに係合して、軸方向の抜け防止を行うようにしたことを特徴とする請求項１乃至４の何れかに記載の多方向入力装置。
【請求項６】
前記操作部は、前記第１と第２のプッシュスイッチの可動体によって、中立位置を保持するようにしたことを特徴とする請求項１記載の多方向入力装置。
【請求項７】
前記駆動体は、前記第３のプッシュスイッチの可動体によって、上方に付勢されていることを特徴とする請求項１乃至３の何れかに記載の多方向入力装置。
【発明の詳細な説明】
【０００１】
【発明の属する技術分野】
本発明は自動車等に使用して好適な多方向入力装置に関する。
【０００２】
【従来の技術】
従来における多方向入力装置は、特開平８ー２０３３８７号で開示されたものがある。
この多方向入力装置は、図８ー図１１に示すように、操作部Ｓを、回転することにより回転型部品Ｒを操作し、また、操作部Ｓを、軸方向に対して直角方向に移動させることによりプッシュスイッチＰを操作するものである。
そして、回転型部品Ｒは、一対の摺動接片５０ａ、５０ｂを備えた接点体５０を箱形ケース５１に固定し、この箱形ケース５１内には、前記摺動接片５０ａと摺接する接点板５２を固定した回転体５３を、軸５４で回転可能に取り付けた構成となっている。
また、プッシュスイッチＰは、筺体５５内に接点部（図示せず）を設け、筺体５５に移動可能に取り付けられた操作ボタン５６を設けた構成となっている。
【０００３】
また、図１１に示すように、平板状の絶縁基板５８には、回転型部品Ｒをガイドするための凹部５８ａと、この凹部５８ａの両側に位置し、回転型部品Ｒの抜け止めのための一対のレール５８ｂと、前記凹部５８ａと間隔を置いた凹部５８ｃと、突部５８ｄとが設けられている。
更に、絶縁基板５８には、固定接点５９が、凹部５８ａ内で露出した状態で埋設されている。
そして、絶縁基板５８の凹部５８ａに、回転型部品Ｒのケース５１を載置し、且つ、レール５８ｂを、ケース５１の段部５１ａに当接させ、また、突部５８ｄに掛け止めしたねじりバネ６０で、ケース５１を弾圧して、回転型部品Ｒが絶縁基板５８に取り付けられている。
そして、回転型部品Ｒが取り付けられた際は、摺動接片５１ｂが、絶縁基板５８上の露出した接点５９ａに接触した状態となっている。
【０００４】
また、絶縁基板５８の凹部５８ｃには、プッシュスイッチＰの筺体５５がはめ込まれ、操作ボタン５６が回転型部品Ｒのケース５１の突起５１ｂに対向した状態で、プッシュスイッチＰが絶縁基板５８に取り付けられている。
更に、操作部Ｓが、回転型部品Ｒの回転体５３にネジ６１で取り付けられた構成となっている。
【０００５】
次に、従来の多方向入力装置の動作を説明すると、先ず、操作部Ｓを回転すると、この回転に伴って、回転体５３が軸５４を中心にして回転する。
すると、回転体５３に取り付けられた接点板５２も回転して、摺動接片５０ａに接離して接点の切り換えが行われ、この接点の切り換えが摺動接点５０ｂと接点５９ａを介して固定接点５９に導出される。
次に、操作部Ｓを、軸５４の軸方向に対して直角方向、即ち、矢印Ｙ方向に押圧すると、操作部Ｓは、回転型部品Ｒを伴って、ねじりバネ６０に抗して矢印Ｙ方向に移動する。
この時、摺動接片５０ｂは、固定接点５９の接点５９ａ上に摺動して、回転型部品Ｒの電気接続を維持した状態で、ケース５１の突起５１ｂがプッシュスイッチＰの操作ボタン５６を押圧する。
【０００６】
すると、プッシュスイッチＰの接点の切り換えが行われ、しかる後、操作部Ｓの押圧を解除すると、ねじりバネ６０によって、回転型部品Ｒは操作部Ｓを伴って押圧前の状態に移動する。
この時、摺動接片５０ｂは接点５９ａ上を摺動して、回転型部品Ｒの電気接続を維持すると共に、操作ボタン５６は押圧前の状態に戻り、プッシュスイッチＰの接点の切り換えが行われる。
このように、操作部Ｓを回転することにより回転型部品Ｒを操作し、また、操作部Ｓを、軸方向に対して直角方向に移動させることによりプッシュスイッチＰを操作するものである。
【０００７】
【発明が解決しようとする課題】
従来の多方向入力装置は、操作部Ｓを、軸方向に対して直角方向に移動させた時、回転型部品Ｒが移動するため、装置が大型に成るという問題がある。
また、回転型部品Ｒの移動時、回転型部品Ｒの電気接続の維持のため、摺動接片５０ｂを固定接点５９に摺接させる構成を必要とし、このため、長寿命化を図ることが難しく、且つ、その構成が面倒で、コスト高に成るという問題がある。更に、操作部Ｓは、回転と直角方向の二つの操作によるものであるため、多機能の入力装置に利用できないという問題がある。
【０００８】
【課題を解決するための手段】
上記課題を解決するための第１の解決手段として、軸方向の左右双方に移動可能であると共に軸方向に対して直角方向に移動可能で、且つ、回転可能な操作部と、該操作部によって回転操作される回転型電気部品と、前記操作部の軸方向の移動によって操作される第１及び第２のプッシュスイッチと、前記操作部の軸方向に対して直角方向の移動によって操作される第３のプッシュスイッチと、前記操作部の軸部と前記回転型電気部品を操作する軸との間に設けたオルダム接ぎ手とを備え、前記回転型電気部品を操作する軸は、前記オルダム接ぎ手により軸方向に抜け止めされ、前記操作部の軸方向及び回転方向の移動には共に従動し、前記操作部の軸方向に対して直角方向の移動には非従動であり、前記軸は、非円形に形成され、該軸が前記回転型電気部品を貫通して軸方向に移動可能で、且つ回転方向へは前記回転型電気部品を回転可能に係合されており、前記第１及び第２のプッシュスイッチを、前記操作部を挟んで該操作部の両側に配設し、前記操作部の軸方向の移動時、前記回転型電気部品を操作する軸で、前記第１及び第２のプッシュスイッチの何れか一方を、また、前記操作部の軸部で、前記第１及び第２のプッシュスイッチの他方を操作すると共に、前記操作部の回転で、前記オルダム接ぎ手を介して前記軸を回転して前記回転型電気部品を操作し、また、前記操作部を、前記軸部の軸方向に対して直角方向に移動した時、前記第３のプッシュスイッチを操作するものとされ、前記操作部と組み合わされた駆動体と、該駆動体をガイドするガイド部を設け、前記操作部は、前記駆動体をガイドに前記軸部の軸方向に移動可能で且つ回転可能に取り付けられ、前記操作部を、前記軸部の軸方向に対して直角方向に移動した時、前記駆動体が前記ガイド部にガイドされながら、前記操作部の移動方向と同方向に移動すると共に、前記駆動体を介して前記第３のプッシュスイッチを操作するようにした構成とした。
また、第２の解決手段として、前記ガイド部は、前記駆動体に設けた孔と、この孔に嵌合される支持部材とで構成した。
また、第３の解決手段として、前記ガイド部は、ケースに設けた溝部と、この溝部に嵌合する前記駆動体とで構成した。
また、第４の解決手段として、前記駆動体は、回転不能で、且つ、前記軸部の軸方向に移動不能に取り付けられ、この駆動体の一部が前記操作部の内部に配設され、該操作部は前記駆動体をガイドにして、回転方向と、前記軸部の軸方向の移動を行うようにした構成とした。
また、第５の解決手段として、前記オルダム接ぎ手を、係止部を有する凸部と、係止部を有する凹条部とのはめ合わせで構成し、前記両係止部を互いに係合して、軸方向の抜け防止を行うようにした構成とした。
また、第６の解決手段として、前記操作部は、前記第１と第２のプッシュスイッチの可動体によって、中立位置を保持するようにした構成とした。
また、第７の解決手段として、前記駆動体は、前記第３のプッシュスイッチの可動体によって、上方に付勢されている構成とした。
【０００９】
【発明の実施の形態】
次に、本発明における多方向入力装置の一実施例を、図１から図５に基づいて説明すると、図１は本発明の多方向入力装置の分解斜視図、図２は本発明の多方向入力装置の要部断面図、図３は本発明の多方向入力装置に係るケースの底面図、図４は本発明の多方向入力装置に係る操作部と駆動体との結合状態を示す正面図、図５は本発明の多方向入力装置に係るオルダム接ぎ手を説明するための要部の分解斜視図である。
【００１０】
合成樹脂の成型品から成るケース１は、内部が中空部１ａとなった箱形をなし、上壁１ｂには孔１ｃが設けられ、また、図３に示すように、中空部１ａに連なって、一方には二つの凹部１ｄ，１ｅが、他方には一つの凹部１ｆが対向した状態で形成されると共に、下面には複数個の突起１ｇが形成されている。
また、合成樹脂の成型品から成る操作部２は、外周に刻み部２ａを有する半円筒状のツマミ部２ｂと、ツマミ部２ｂの回転中心部に位置する軸部２ｃと、この軸部２ｃをツマミ部２ｂに連結する一対の腕部２ｄと、腕部２ｄとツマミ部２ｂとの間に形成された扇状の孔２ｅを有しており、この操作部２は、ケース１の中空部１ａに挿入されて、孔１ｃからツマミ部２ｂを外方に突出するようになっている。
【００１１】
また、合成樹脂の成型品から成り、外形が馬蹄形状をなす駆動体３は、ツマミ部２ｂの内周面に沿った円形状の外周壁３ａと、外周壁３ａの上部に沿って一部が軸方向に突出した延長壁３ｂと、この延長壁３ｂの下面に形成され、中心方向に延びた支持部３ｃと、外周壁３ａの下部に位置する突部３ｄと、中心部に形成された孔３ｅと、この孔３ｅを挟むように、外周壁３ａの下部から上部に貫通する一対の長孔３ｆとが設けられている。
そして、この駆動体３は、図２、４に示すように、延長壁３ｂを操作部２の孔２ｅに挿入して、この延長壁３ｂと外周壁３ａを、操作部２のツマミ部２ｂの内周面に接触させると共に、支持部３ｃの先端に設けた円弧状の凹部を、操作部２の軸部２ｃの外周面に当接させて、駆動体３と操作部２とが組み合わされると共に、操作部２が駆動体３によって取り付けられた状態となっている。
【００１２】
そして、組み合わされた操作部２は、駆動体３の外周壁３ａをガイドにして回転可能で、その回転範囲は、一対の腕部２ｄが延長壁３ｂの端部にぶつかる範囲、この実施例では約１２０度の角度の回転が可能となっている。
また、操作部２は、駆動体３をガイドにして、軸部２ｃの軸方向で左右の移動が可能になっており、その移動は、駆動体３の支持部３ｃによって操作部２の軸部２ｃが支持され、また、駆動体３の外周壁３ａによって操作部２のツマミ部２ｂが支持された状態となっているため、操作部２を軸方向に押圧したとき、操作部２は駆動体３の外周壁３ａと支持部３ｃをガイドに、左、或いは右に移動出来るようになっている。
【００１３】
また、ロータリスイッチ、ロータリ型エンコーダ等から成る回転型電気部品Ｒを備えていて、この実施例ではユニット化されたロータリエンコーダを用いており、このユニット化された回転型電気部品Ｒは、図１、２に示すように、合成樹脂から成る絶縁ケース４、５に、それぞれ固定接点６、７を埋設し、この二つの絶縁ケース４と５を対向させて組み合わせている。
また、絶縁ケース４、５内には、絶縁ケース４と５で回転可能に支持され、中心部に小判型の軸挿入用の孔８ａを有する回転体８が設けられ、この回転体８の両面には固定接点６、７と接離する金属のバネ板から成る可動接点９、１０が取り付けられると共に、回転体８の外周部に設けられた凹凸部８ｂには、バネ１１により弾圧されたボール１２が当接して、節度機構を形成した構成となっている。
そして、このようにユニット化された回転型電気部品Ｒは、ケース１の下面からケース１の凹部１ｄにはめ合わせて、ケース１内に取り付けられ、これによって、回転型電気部品Ｒの組み込みを容易にしている。
【００１４】
また、ユニット化された同じ構成を有する二つのプッシュスイッチＰ１，Ｐ２を備えており、ここで示したプッシュスイッチＰ１，Ｐ２は、図１、２に示すように、合成樹脂から成る絶縁ケース１３に、金属板から成る固定接点１４と導出端子１５とが埋設され、金属のバネ板から成る可動接点１６が絶縁ケース１３内に収納されて、可動接点１６の周辺は、導出端子１５に常時接触すると共に、その切り起こし部１６ａは固定接点１４に接離可能に、固定接点１４と対向した状態となっている。
また、絶縁ケース１３内には、ドーム状のバネ性のあるゴムから成る可動体１７が配設されると共に、中心部に開口１８ａを有するカバー１８が、絶縁ケース１３の開放部を塞ぐように設けられている。
そして、このようにユニット化されたプッシュスイッチＰ１は、ケース１の凹部１ｅにはめ込まれ、回転型電気部品Ｒと重なり、且つ、軸挿入用の孔８ａと開口１８ａとが対向した状態で取り付けられ、また、プッシュスイッチＰ２は、ケース１の凹部１ｆにはめ込まれ、もう一方のプッシュスイッチＰ１と対向した状態で取り付けられている。
このように、プッシュスイッチＰ１，Ｐ２は、凹部１ｅ、１ｆに対し挿入のワン動作で組み込みが出来、組立を容易にしている。
【００１５】
更に、ユニット化された第３のプッシュスイッチＰ３を備えており、このプッシュスイッチＰ３は、図１、２に示すように、合成樹脂から成る絶縁ケース２０に、金属板から成る固定接点２１と導出端子２２とが埋設され、金属のバネ板から成るドーム状の可動接点２３が絶縁ケース２０内に収納され、可動接点２３の周辺は、導出端子２２に常時接触すると共に、中央部が固定接点２１に接離可能に、固定接点２１と対向した状態となっている。
また、絶縁ケース２０の下部の開放部を塞ぐ役割を兼ねた絶縁板から成る可動体２４は、切り込み部２４ａを設けて中央部に可動片２４ｂが形成され、この可動体２４は、開放部を塞ぐように絶縁ケース２０に取り付けられ、取り付けられた際は、可動片２４ｂがドーム状の可動接点２３と対向した状態となっている。
【００１６】
また、プリント基板等から成る絶縁基板２５は、図１、２に示すように、ケース１の突起１ｇを挿入するための複数の孔２５ａと、回転型電気部品ＲとプッシュスイッチＰ１，Ｐ２，Ｐ３の端子類と挿通する複数個の孔２５ｂを有すると共に、この絶縁基板２５には、金属の円柱棒から成る一対の支持部材２６が固定されている。
そして、この一対の支持部材２６は、それぞれ駆動体３の長孔３ｆに挿入されてガイド部を構成し、駆動体３の軸方向、及び回転方向の移動を阻止するが、軸方向に対して直角方向の移動に対してガイドしながら駆動体３の移動可能ならしむように支持するようになっている。
また、絶縁基板２５には、第３のプッシュスイッチＰ３が取り付けられ、この絶縁基板２５は、ケース１の下部の開放部を塞ぐように、突起１ｆが孔２５ａに挿入されてケース１の下部に取り付けられる。
そして、絶縁基板２５が取り付けられた際は、回転型電気部品Ｒ、プッシュスイッチＰ１，Ｐ２，Ｐ３の端子類が孔２５ｂを挿通して外方に突出すると共に、第３のプッシュスイッチＰ３の可動体２４の可動片２４ｂが、駆動体３の突部３ｄと対向した状態となる。
【００１７】
更に、金属等から成り、回転と軸方向の移動が可能な非円形の軸２７と操作部２との間には、図１、２、５に示すように、オルダム接ぎ手２８が設けられ、このオルダム接ぎ手２８により、操作部２の回転、左右の軸方向の移動、及び軸方向に対して直角方向の移動を可能にしている。
そして、前記軸２７は、回転型電気部品Ｒの回転体８の孔８ａに挿入されて取り付けられ、また、前記オルダム接ぎ手２８は、図１、２、５に示すように、操作部２と、回転と軸方向の移動が可能な軸２７との間に形成されており、このオルダム接ぎ手２８は、突状の係止部２８ａを有し、操作部２の軸部２ｃの一端に設けられたＴ字状の凸部２８ｂと、突状の係止部２８ｃを有し、軸２７の一端に設けられたＴ字状の凸部２８ｄと、前記操作部２と軸２７との間に配設され、一方の面には係止部２８ｅを有するＴ字状の凹条部２８ｆが、また、他方の面には前記凹条部２８ｆに対して直交した状態で、係止部２８ｇを有するＴ字状の凹条部２８ｈが設けられた伝達部２８ｊとを備えている。
【００１８】
そして、オルダム接ぎ手２８は、凸部２８ｂが伝達部２８ｊの凹条部２８ｆに、また、凸部２８ｄが伝達部２８ｊの凹条部２８ｈにそれぞれ嵌合され、且つ、係止部２８ａと係止部２８ｅが、また、係止部２８ｃと係止部２８ｇとが係止した状態で組み合わされている。
このようなオルダム接ぎ手２８は、操作部２を回転すると、凸部２８ｂが回転し、これによって、凸部２８ｂが嵌合した凹条部２８ｆによって伝達部２８ｊが回転し、更に、伝達部２８ｊの回転が、凹条部２８ｈに嵌合した凸部２８ｄに伝えられが軸２７が回転し、更に又、これによって、回転型電気部品Ｒの回転体８が回転して、回転型電気部品Ｒの切り換えが行われるようになる。
また、操作部２を、軸部２ｃの軸方向に対して直角方向に移動すると、凸部２８ｂと凹条部２８ｆ，また、凸部２８ｄと凹条部２８ｈとの間で摺動動作を行い、軸２７を回転することなく、操作部２を直角方向に移動することが出来る。
また、操作部２を、軸部２ｃの軸方向に移動すると、凸部２８ｂ，２８ｄと伝達部２８ｊは、それぞれ係止部２８ａ、２８ｃ，２８ｅ，２８ｇによる係止によって、相互間で外れることなく、伝達部２８ｊ，軸２７を伴って操作部２を移動することが出来る。
【００１９】
また、前記軸２７が回転型電気部品Ｒの回転体６に組み込まれ、且つ、オルダム接ぎ手２８が組み込まれた際は、図２に示すように、軸２７の一端は、プッシュスイッチＰ１のカバー１８の開口１８ａと可動体１７に対向し、また、軸部２ｃは、プッシュスイッチＰ２のカバー１８の開口１８ａと可動体１７に対向した状態となっている。
そして、オルダム接ぎ手２８によって組み合わされた操作部２と軸２７は、軸２７の一端が前記第１のプッシュスイッチＰ１の可動体１７と当接し、また、軸部２ｃの一端が前記第２のプッシュスイッチＰ２の可動体１７と当接して、両可動体１７で挟まれた状態で、操作部２が中立位置を保持するようになっている。
【００２０】
次ぎに、本発明の多方向入力装置の組立方法を説明すると、先ず、操作部２の凸部２８ｂに、伝達部２８ｊの凹条部２８ｆを、軸方向に対して直角方向からはめ合わせ、次いで、この伝達部２８ｊの凹条部２８ｈに、同じように直角方向から軸２７の凸部２８ｄをはめ合わせる。
次ぎに、この状態で駆動体３を軸１７側から、駆動体３の外周壁３ａ及び延長壁３ｂを操作部２の孔２ｅに、また、駆動体３の孔３ｅに軸２７及び伝達部２８ｊをに挿入して、外壁部３ａを操作部２のツマミ部２ｂの内周面に当接させると共に、支持部３ｃを操作部２の軸部２ｃ外周面に当接させて、駆動体３を操作部２に組み合わせる。
次ぎに、回転型電気部品Ｒの回転体８の孔８ａを、軸２７にはめ合わせ、この状態で、操作部２と駆動体３はケース１の中空部１ａに、また、回転型電気部品Ｒはケース１の凹部１ｄに挿入し、操作部２の一部を孔１ｃから外方に突出させると共に、凹部１ｄで回転型電気部品Ｒを取り付ける。
【００２１】
次で、第１と第２のプッシュスイッチＰ１，Ｐ２を、それぞれケース１の凹部１ｅ、１ｆに挿入して、プッシュスイッチＰ１，Ｐ２を凹部１ｅ、１ｆで取り付ける。
次ぎに、絶縁基板２５に、第３のプッシュスイッチＰ３を取付、この絶縁基板２５をケース１の下方に位置させ、支持部材２６を駆動体３の長孔３ｆに挿入するように、絶縁基板２５を上方に上げて、ケース１の下部に当接させる。
すると、第３のプッシュスイッチＰ３の可動体２４の可動片２４ｂは、駆動体３の突部３ｄと当接し、また、ケース１の突起１ｇは、絶縁基板２５の孔２５ｂに挿通され、更に、回転型電気部品Ｒ、プッシュスイッチＰ１，Ｐ２、Ｐ３の端子類は、絶縁基板２５の孔２５ｂに挿通された状態となる。
そして、絶縁基板２５の孔２５ａから突出した突起１ｇの先端を、例えば加熱されたコテによって、広げるように変形（図示せず）させると、多方向入力装置の組立は完了する。
【００２２】
次ぎに、このような構成を有する本発明の多方向入力装置の動作を説明すると、図１、２において、先ず、操作部２を矢印Ａ方向に動かして回転すると、操作部２は、駆動体３の外周壁３ａと支持部３ｃをガイドにし、軸部２ｃを中心として回転する。
すると、オルダム接ぎ手２８によって、軸２７を介して回転型電気部品Ｒの回転体８が回転する。
そして、回転体８は、バネ１１とボール１２の節度機構によりクリック感を持って回転すると共に、可動接点９、１０が、固定接点６、７上を摺動して接点の切り換えが行われ、この接点の切り換えは、絶縁基板２５外に突出して設けられた、固定接点６、７の端子から導出されるように成っている。
【００２３】
次ぎに、操作部２を、軸部２ｃの軸方向に対して直角方向、即ち、矢印Ｂ方向に押圧・移動すると、操作部２は駆動体３を伴って、支持部材２６をガイドにして移動する。
すると、駆動体３の突部３ｄは、第３のプッシュスイッチＰ３の可動体２４の一部である可動片２４ｂを押圧し、また、この可動片２４ｂの移動でドーム状の可動接点２３が押されて、可動接点２３は反転運動して固定接点２１と接触し、固定接点２１と導出端子２２との間が導通されて、接点の切り換えが行われ、この接点の切り換えは、絶縁基板２５外に突出して設けられた、固定接点２１及び導出端子２２の端子から導出されるようになっている。
また、操作部２の直角方向の移動時、オルダム接ぎ手２８、即ち、突部２８ｂと凹条部２８ｆとの間、及び突部２８ｄと凹条部２８ｈとの間で摺動動作を行って、軸部２ｃの軸線Ｇ１を、軸２７の軸線Ｇ２からズラスことが出来ると共に、この直角方向の移動時、オルダム接ぎ手２８により軸部２ｃ、及び軸２７は、回転動作を行うことがない。
次いで、操作部２の直角方向の押圧を解除すると、可動接点２４は、そのバネ性によって反転して元の状態に戻り、固定接点２１との接触が離れて接点の切り換えが行われる。
また、可動接点２３の反転運動により、可動接点２３が可動体２４、及び駆動体３、操作部２を上方に押し戻す。
すると、軸線Ｇ１は軸線Ｇ２と一致した状態となると共に、この間において、オルダム接ぎ手２８によって、上述と同様の動作により軸部２ｃと軸２７が回転動作を行うことがない。
【００２４】
次ぎに、操作部２を軸部２ｃの軸方向、即ち、矢印Ｃ方向に押圧・移動すると、操作部２は、駆動体３の外周壁３ａと支持部３ｃをガイドにして、オルダム接ぎ手２８を介して軸２７を押圧する。
すると、軸２７は回転体８の孔８ａをガイドにして同方向に移動し、この軸２７が第１のプッシュスイッチＰ１のドーム状の可動体１７を押圧し、可動体１７は反転運動して、可動接点１６の切り起こし部１６ａを固定接点１４に接触させて、導出端子１５と固定接点１４との間が導通されて接点の切り換えが行われ、この接点の切り換えは、絶縁基板２５外に突出して設けられた、固定接点１４及び導出端子１５の端子から導出されるようになっている。
次いで、操作部２の矢印Ｃ方向の押圧を解除すると、可動体１７は、そのバネ性によって反転して元の状態に戻り、すると、切り起こし部１６ａもバネ性で元に状態、即ち、固定接点１４との接触が離れて状態になって、接点の切り換えが行われる。
また、可動体１７の反転運動により、可動体１７が軸２７、オルダム接ぎ手２８、及び操作部２を元の状態に押し戻し、操作部２は、第１と第２のプッシュスイッチＰ１，Ｐ２の可動体１７で挟持された中立位置となる。
【００２５】
次ぎに、操作部２を軸部２ｃの軸方向、即ち、矢印Ｄ方向に押圧・移動すると、操作部２は、駆動体３の外周壁３ａと支持部３ｃをガイドにして、オルダム接ぎ手２８及び軸２７を伴い、軸部２ｃを同方向に移動する。
すると、軸２７は回転体８の孔８ａをガイドにして同方向に移動すると共に、操作部２の軸部２ｃが第２のプッシュスイッチＰ２のドーム状の可動体１７を押圧し、可動体１７は反転運動して、可動接点１６の切り起こし部１６ａを固定接点１４に接触させて、導出端子１５と固定接点１４との間が導通されて接点の切り換えが行われ、この接点の切り換えは、絶縁基板２５外に突出して設けられた、固定接点１４及び導出端子１５の端子から導出されるようになっている。
次いで、操作部２の矢印Ｄ方向の押圧を解除すると、可動体１７は、そのバネ性によって反転して元の状態に戻り、すると、切り起こし部１６ａもバネ性で元に状態、即ち、固定接点１４との接触が離れて状態になって、接点の切り換えが行われる。
また、可動体１７の反転運動により、可動体１７が軸部２ｃ、軸２７、及びオルダム接ぎ手２８を元の状態に押し戻し、操作部２は、第１と第２のプッシュスイッチＰ１，Ｐ２の可動体１７で挟持された中立位置となる。
【００２６】
以上のような動作により、本発明の多方向入力装置の操作が行われるが、このような多方向入力装置を自動車に適用した場合は、例えば、回転型電気部品Ｒはエアコンの風量の強、弱、及びＯＦＦ切り換えに、第３のプッシュスイッチＰ３はエアコンのモード切り換え、即ち、暖房、冷房の切り換えに、又、第１と第２のプッシュスイッチＰ１，Ｐ２はエアコンの温度を高くするのと低くするのに用いられるものである。
そして、多様な機能に適用できるようになっている。
【００２７】
図６、図７は本発明の多方向入力装置の他の実施例を示し、図６は裏面から見た要部の分解斜視図、図７はその要部おける断面図である。
この図６、図７に基づいて、他の実施例の構成を説明すると、合成樹脂の成型品から成るケース３０は、内部が中空部３０ａとなった箱形をなし、上壁３０ｂには孔３０ｃが設けられ、また、対向する一対の側壁３０ｄには、中空部３０ａ内に位置する溝部３０ｅが設けられている。
また、合成樹脂の成型品から成る操作部３１は、外周に刻み部３１ａを有するリング状のツマミ部３１ｂと、ツマミ部３１ｂの回転中心部に位置する軸部３１ｃと、この軸部３１ｃをツマミ部３１ｂに連結する円板状の連結部３１ｄと、ツマミ部３１ｂの内部において、連結部３１ｄの両側に位置する空洞部３１ｅ、３１ｆとが設けられており、この操作部３１は、ケース３０の中空部３０ａに挿入されて、孔３０ｃからツマミ部３１ｂを外方に突出するようになっている。
【００２８】
また、合成樹脂の成型品から成る駆動体３２は、平板状の矩形の板部３２ａと、この板部３２ａの中心部に設けられた円筒状の筒部３２ｂと、板部３２ａの一端に設けられた突部３２ｃとを備えている。
そして、この駆動体３２は、筒部３２ｂを操作部３１の空洞部３１ｅ内に位置させ、突部３２ｃをツマミ部３１ｂ外に位置させて配設されると共に、板部３２ａは、ケース３０の一対の溝部３０ｅに嵌合されてガイド部を構成し、該溝部３０ｅをガイドにして上下動可能に取り付けられている。
また、リング状の合成樹脂から成るスペーサ３３は、操作部３１の空洞部３１ｅ内に位置し、ツマミ部３１ｂの内周面と駆動体３２の筒部３２ｂの外周面との間に配設されて、このスペーサ３３は、操作部３１が軸部３１ｃを中心として回転できるように、駆動体３２に操作部３１を保持する役割をする。
【００２９】
また、ロータリスイッチ、ロータリ型エンコーダ等から成る回転型電気部品Ｒを備えていて、この実施例ではユニット化されたロータリ型エンコーダを用いており、このユニット化された回転型電気部品Ｒは、合成樹脂から成る絶縁ケース３４に、バネ性のある複数個の固定接点３５が埋設されている。
また、絶縁ケース３４の開放部を塞ぐように、中央部に孔３６ａを有するカバー３６が設けられ、このカバー３６と絶縁ケース３４の間には、非円形の孔３７ａを有し、固定接点３５と接離可能な可動接点４１を取り付けた回転体３７が回転可能に設けられると共に、回転体３７の外周に設けられた凹凸部３７ｂには、バネ４０を当接して、節度機構を構成した構成と成っている。
【００３０】
また、ユニット化された同じ構成を有する二つの第１と第２のプッシュスイッチＰ１，Ｐ２を備えている。
そして、このプッシュスイッチＰ１，Ｐ２は、前記実施例で示したプッシュスイッチＰ１，Ｐ２と同一の構成を有するので、同じ部品に同じ番号を付し、ここではその構成の説明を省略する。
そして、プッシュスイッチＰ１は、ケース３０の中空部３０ａに、前記回転型電気部品Ｒと重なるように挿入されて取り付けられ、プッシュスイッチＰ１のカバー１８の開口１８ａと回転型電気部品Ｒの回転体８の孔８ａが対向した状態となると共に、プッシュスイッチＰ２は、カバー１８の開口１８ａが操作部３１の軸部３１ｃに対向するように、ケース３０の中空部３０ａに挿入されて取り付けられる。
【００３１】
更に、ユニット化された第３のプッシュスイッチＰ３を備えており、このプッシュスイッチＰ１３は、前記実施例で示したプッシュスイッチＰ３と同一の構成を有するので、ここでは同一部品に同じ番号を付し、その構成の説明を省略する。
また、プリント基板等から成る絶縁基板３８は、ケース３０の下面に設けた突起（図示せず）を挿入するための複数個の孔（図示せず）と、回転型電気部品ＲとプッシュスイッチＰ１，Ｐ２，Ｐ３の端子類を挿通する複数個の孔３８ｂを有し、この絶縁基板３８には、第３のプッシュスイッチＰ３が取り付けられ、この絶縁基板３８は、ケース３０の下部の開放部を塞ぐように、ケース３０の突起を絶縁基板３８の孔に挿入されて、ケース３０の下部に取り付けられる。
また、絶縁基板３８が取り付けられた際は、回転型電気部品Ｒ、プッシュスイッチＰ１，Ｐ２，Ｐ３の端子類が孔３８ｂを挿通して外方に突出すると共に、第３のプッシュスイッチＰ３の可動体２４の可動片２４ｂが、駆動体３２の突部３２ｄと対向した状態となる。
【００３２】
更に、金属等から成り、回転と軸方向の移動が可能な非円形の軸３９と操作部３１との間には、オルダム接ぎ手２８が設けられ、このオルダム接ぎ手２８により、操作部３１の回転、左右の軸方向の移動、及び軸方向に対して直角方向の移動を可能にしている。
そして、このオルダム接ぎ手２８は、前記実施例で示したオルダム接ぎ手と同一の構成を有するので、ここでは同一部品に同じ番号を付し、その構成の説明は省略する。
そして、このようなオルダム接ぎ手２８は、操作部３１を回転すると、凸部２８ｂが回転し、これによって、凸部２８ｂが嵌合した凹条部２８ｆによって伝達部２８ｊが回転し、更に、伝達部２８ｊの回転が、凹条部２８ｈに嵌合した凸部２８ｄに伝えられが軸３９が回転し、更に又、これによって、回転型電気部品Ｒの回転体８が回転して、回転型電気部品Ｒの切り換えが行われるようになる。
また、操作部３１を、軸部３１ｃの軸方向に対して直角方向に移動すると、凸部２８ｂと凹条部２８ｆ，また、凸部２８ｄと凹条部２８ｈとの間で摺動動作を行い、軸３９を回転することなく、操作部３１を直角方向に移動することが出来る。
また、操作部３１を、軸部３１ｃの軸方向に移動すると、凸部２８ｂ，２８ｄと伝達部２８ｊは、それぞれ係止部２８ａ、２８ｃ，２８ｅ，２８ｇによる係止によって、相互間で外れることなく、伝達部２８ｊ，軸３を伴って操作部３１を移動することが出来る。
【００３３】
また、前記軸３９が回転型電気部品Ｒの回転体６に組み込まれ、且つ、オルダム接ぎ手２８が組み込まれた際は、図７に示すように、軸３９の一端は、プッシュスイッチＰ１のカバー１８の開口１８ａと可動体１７に対向し、また、軸部３１ｃは、プッシュスイッチＰ２のカバー１８の開口１８ａと可動体１７に対向した状態となっている。
そして、オルダム接ぎ手２８によって組み合わされた操作部３１と軸３９は、軸３９の一端が前記第１のプッシュスイッチＰ１の可動体１７と当接し、また、軸部３１ｃの一端が前記第２のプッシュスイッチＰ２の可動体１７と当接して、両可動体１７で挟まれた状態で、操作部３１が中立位置を保持するようになっている。
【００３４】
次ぎに、この多方向入力装置の組立方法を説明すると、先ず、操作部３１の凸部２８ｂに、伝達部２８ｊの凹条部２８ｆを、軸方向に対して直角方向からはめ合わせ、次いで、この伝達部２８ｊの凹条部２８ｈに、同じように直角方向から軸３９の凸部２８ｄをはめ合わせる。
次ぎに、駆動体３２の筒部３２ｂにスペーサ３３を嵌合し、この駆動体３２とスペーサ３３を操作部３１のツマミ部３１ｂの内周面に当接させて、スペーサ３３と駆動体３２を操作部３１に組み合わせる。
このような状態においては、オルダム接ぎ手２８が直角方向に移動しても、突部２８ｂ，２８ｄと凹条部２８ｆ，２８ｈとの係合が外れる前に、伝達部２８ｊが駆動体３２の筒部３２ｂの内面に当接して、オルダム接ぎ手２８は分解することがない。
次ぎに、回転型電気部品Ｒの回転体８の孔８ａを、軸３９にはめ合わせ、この状態で、操作部３１、駆動体３２、及び回転型電気部品Ｒをケース３０の中空部３０ａに挿入して取り付けると共に、操作部３１の一部を孔３０ｃから外方に突出させる。
【００３５】
次で、第１と第２のプッシュスイッチＰ１，Ｐ２を、それぞれケース３０の中空部３０ａに挿入して取り付ける。
次ぎに、絶縁基板３８に、第３のプッシュスイッチＰ３を取付、この絶縁基板３８をケース３０の下方に位置させ、絶縁基板３８を上方に上げて、ケース３０の下部に当接させる。
すると、第３のプッシュスイッチＰ３の可動体２４の可動片２４ｂは、駆動体３２の突部３２ｃと当接し、また、ケース３０の突起（図示せず）は、絶縁基板３８の孔（図示せず）に挿通され、更に、回転型電気部品Ｒ、プッシュスイッチＰ１，Ｐ２、Ｐ３の端子類は、絶縁基板３８の孔３８ｂに挿通された状態となる。
そして、前記実施例と同様に、絶縁基板３８の孔から突出した突起の先端を、例えば加熱されたコテによって、広げるように変形（図示せず）させると、多方向入力装置の組立は完了する。
【００３６】
次ぎに、このような構成を有する本発明の多方向入力装置の動作を説明すると、図６、７において、先ず、操作部３１を矢印Ａ方向に動かして回転すると、操作部３１は、スペーサ３３と駆動体３２の筒部３２ｂをガイドにし、軸部３１ｃを中心として回転する。
すると、オルダム接ぎ手２８によって、軸３９を介して回転型電気部品Ｒの回転体８が回転する。
そして、回転体８は、バネ４０による節度機構により、クリック感を持って回転すると共に、可動接点４１が、固定接点３５上を摺動して接点の切り換えが行われ、この接点の切り換えは、絶縁基板３８外に突出して設けられた、固定接点３５の端子から導出されるように成っている。
【００３７】
次ぎに、操作部３１を、軸部３１ｃの軸方向に対して直角方向、即ち、矢印Ｂ方向に押圧・移動すると、操作部３１はスペーサ３３と駆動体３２を伴って、駆動体３２がはめ合わされた溝部３０ｅをガイドにして移動する。
すると、駆動体３２の突部３２ｃは、第３のプッシュスイッチＰ３の可動体２４の一部である可動片２４ｂを押圧し、また、この可動片２４ｂの移動でドーム状の可動接点２３が押されて、可動接点２３は反転運動して固定接点２１と接触し、固定接点２１と導出端子２２との間が導通されて、接点の切り換えが行われ、この接点の切り換えは、絶縁基板２５外に突出して設けられた、固定接点２１及び導出端子２２の端子から導出されるようになっている。
また、操作部３１の直角方向の移動時、オルダム接ぎ手２８、即ち、突部２８ｂと凹条部２８ｆとの間、及び突部２８ｄと凹条部２８ｈとの間で摺動動作を行って、軸部３１ｃの軸線Ｇ１を、軸３９の軸線Ｇ２からズラスことが出来ると共に、この直角方向の移動時、オルダム接ぎ手２８により軸部３１ｃ、及び軸３９は、回転動作を行うことがない。
次いで、操作部３１の直角方向の押圧を解除すると、可動接点２４は、そのバネ性によって反転して元の状態に戻り、固定接点２１との接触が離れて接点の切り換えが行われる。
また、可動接点２３の反転運動により、可動接点２３が可動体２４、及び駆動体３２、スペーサ３３、及び操作部３１を上方に押し戻す。
すると、軸線Ｇ１は軸線Ｇ２と一致した状態となると共に、この間において、オルダム接ぎ手２８によって、上述と同様の動作により軸部３１ｃと軸３９が回転動作を行うことがない。
【００３８】
次ぎに、操作部３１を軸部３１ｃの軸方向、即ち、矢印Ｃ方向に押圧・移動すると、操作部２は、スペーサ３３を介して駆動体３２の筒部３２ｂの外周面をガイドにして移動すると共に、オルダム接ぎ手２８を介して軸３９を押圧する。
すると、軸３９は回転体８の孔８ａをガイドにして同方向に移動し、この軸３９が第１のプッシュスイッチＰ１のドーム状の可動体１７を押圧し、可動体１７は反転運動して、可動接点１６の切り起こし部１６ａを固定接点１４に接触させて、導出端子１５と固定接点１４との間が導通されて接点の切り換えが行われ、この接点の切り換えは、絶縁基板３８外に突出して設けられた、固定接点１４及び導出端子１５の端子から導出されるようになっている。
次いで、操作部３１の矢印Ｃ方向の押圧を解除すると、可動体１７は、そのバネ性によって反転して元の状態に戻り、すると、切り起こし部１６ａもバネ性で元に状態、即ち、固定接点１４との接触が離れて状態になって、接点の切り換えが行われる。
また、可動体１７の反転運動により、可動体１７が軸３９、オルダム接ぎ手２８、及び操作部３１を元の状態に押し戻し、操作部３１は、第１と第２のプッシュスイッチＰ１，Ｐ２の可動体１７で挟持された中立位置となる。
【００３９】
次ぎに、操作部３１を軸部３１ｃの軸方向、即ち、矢印Ｄ方向に押圧・移動すると、操作部２は、スペーサ３３を介して駆動体３２の筒部３２ｃをガイドにして、オルダム接ぎ手２８及び軸３９を伴い、軸部３１ｃを同方向に移動する。
すると、軸３９は回転体８の孔８ａをガイドにして同方向に移動すると共に、操作部３１の軸部３１ｃが第２のプッシュスイッチＰ２のドーム状の可動体１７を押圧し、可動体１７は反転運動して、可動接点１６の切り起こし部１６ａを固定接点１４に接触させて、導出端子１５と固定接点１４との間が導通されて接点の切り換えが行われ、この接点の切り換えは、絶縁基板２５外に突出して設けられた、固定接点１４及び導出端子１５の端子から導出されるようになっている。次いで、操作部３１の矢印Ｄ方向の押圧を解除すると、可動体１７は、そのバネ性によって反転して元の状態に戻り、すると、切り起こし部１６ａもバネ性で元に状態、即ち、固定接点１４との接触が離れて状態になって、接点の切り換えが行われる。
また、可動体１７の反転運動により、可動体１７が軸部３１ｃ、軸３９、及びオルダム接ぎ手２８を元の状態に押し戻し、操作部３１は、第１と第２のプッシュスイッチＰ１，Ｐ２の可動体１７で挟持された中立位置となる。
【００４０】
以上のような動作により、本発明の多方向入力装置の操作が行われるが、このような多方向入力装置を自動車に適用した場合は、前記実施例と同様に、例えば、回転型電気部品Ｒはエアコンの風量の強、弱、及びＯＦＦ切り換えに、第３のプッシュスイッチＰ３はエアコンのモード切り換え、即ち、暖房、冷房の切り換えに、又、第１と第２のプッシュスイッチＰ１，Ｐ２はエアコンの温度を高くするのと低くするのに用いられるものである。
そして、多様な機能に適用できるようになっている。
なお、ここで示したプッシュスイッチは、これ以外の種々のものを適用できること勿論である。
【００４１】
【発明の効果】
本発明の多方向入力装置は、操作部と回転型電気部品を操作する軸との間に、オルダム接ぎ手を設けたものであるため、操作部を直角方向に移動したとき、回転型電気部品全体を移動することが無く、従って、スペースフアクタが良く、装置が小型となる。
また、回転型電気部品全体が移動しないため、従来のような移動時における摺動接点と固定接点が不要となり、長寿命化が図れると共に、安価な装置を提供できる。
また、第１のプッシュスイッチを設け、操作部で操作するようにしたため、多機能の入力装置を提供できる。
また、第２のプッシュスイッチを設け、操作部で操作するようにしたため、更に、多機能の入力装置を提供できる。
また、操作部の両側に第１と第２のプッシュスイッチを配設することによって、小型で、操作性の良好な装置を提供できる。
また、操作部と駆動体とを組み合わせて、駆動体で第３のプッシュスイッチを操作するため、操作部の動作を別部材である駆動体に伝達でき、このため、プッシュスイッチの配置などに、自由度を持たせることが出来て、融通性のある装置を提供できる。
また、駆動体の移動をガイドするガイド部を設けることによって、駆動体の確実な移動を行うことが出来る。
また、ガイド部を、支持部材、或いは溝部で構成することにより、その構成が簡単で、組立性が良く、安価であると共に、駆動部の回転と軸方向の移動をなくし得て、操作部のガイドとして利用できる。
また、操作部の内部に駆動体を配設することによって、簡単な構成の操作部のガイド構造が得られ、小型で安価な装置を提供できる。
また、オルダム接ぎ手を、係止部を有する凸部と、係止部を有する凹条部とで構成したため、軸方向の移動時、オルダム接ぎ手が外れることが無く、確実な動作が得られる。
また、第１と第２のプッシュスイッチで、操作部の中立位置を保つようにしたため、別部品を必要とせず、その構成が簡単で、組立性が良く、安価な装置を提供できる。
更に、第３のプッシュスイッチの可動体で、駆動体を上方に付勢するため、別部品を必要とせず、組立性が簡単で、安価な装置が提供できる。
【図面の簡単な説明】
【図１】本発明の多方向入力装置の分解斜視図。
【図２】本発明の多方向入力装置の要部断面図。
【図３】本発明の多方向入力装置に係るケースの底面図。
【図４】本発明の多方向入力装置に係る操作部と駆動体の結合状態を示す正面図。
【図５】本発明の多方向入力装置に係るオルダム接ぎ手を説明するための要部の分解斜視図。
【図６】本発明の他の実施例の多方向入力装置を示す裏面から見た要部の分解斜視図。
【図７】本発明の他の実施例の多方向入力装置の要部断面図。
【図８】従来の多方向入力装置の斜視図。
【図９】従来の多方向入力装置の要部の断面図。
【図１０】従来の多方向入力装置の要部の断面図。
【図１１】従来の多方向入力装置に係る絶縁基板の斜視図。
【符号の説明】
Ｒ  回転型電気部品
Ｐ１，Ｐ２，Ｐ３  プッシュスイッチ
１  ケース
１ａ  中空部
１ｂ  上壁
１ｃ  孔
１ｄ、１ｅ、１ｆ  凹部
１ｇ  突起
２  操作部
２ａ  刻み部
２ｂ  ツマミ部
２ｃ  軸部
２ｄ  腕部
２ｅ  孔
３  駆動体
３ａ  外周壁
３ｂ  延長壁
３ｃ  支持部
３ｄ  突部
３ｅ  孔
３ｆ  長孔
４、５  絶縁ケース
６、７  固定接点
８  回転体
８ａ  孔
８ｂ  凹凸部
９、１０  可動接点
１１  バネ
１２  ボール
１３  絶縁ケース
１４  固定接点
１５  導出端子
１６  可動接点
１６ａ  切り起こし部
１７  可動体
１８  カバー
１８ａ  開口
２０  絶縁ケース
２１  固定接点
２２  導出端子
２３  可動接点
２４  可動体
２４ａ  切り込み部
２４ｂ  可動片
２５  絶縁基板
２５ａ  孔
２５ｂ  孔
２６  支持部材
２７  軸
２８  オルダム接ぎ手
２８ａ  係止部
２８ｂ  凸部
２８ｃ  係止部
２８ｄ  凸部
２８ｅ  係止部
２８ｆ  凹条部
２８ｇ  係止部
２８ｈ  凹条部
２８ｊ  伝達部
３０  ケース
３０ａ  中空部
３０ｂ  上壁
３０ｃ  孔
３０ｄ  側壁
３０ｅ  溝部
３１  操作部
３１ａ  刻み部
３１ｂ  ツマミ部
３１ｃ  軸部
３１ｄ  連結部
３１ｅ  空洞部
３１ｆ  空洞部
３２  駆動体
３２ａ  板部
３２ｂ  筒部
３２ｃ  突部
３３  スペーサ
３４  絶縁基板
３５  固定接点
３６  カバー
３７  回転体
３７ａ  孔
３７ｂ  凹凸部
３８  絶縁基板
３８ｂ  孔
３９  軸
４０  バネ
４１  可動接点
【図１】
0003720942.tif 000002
【図２】
0003720942.tif 000003
【図３】
0003720942.tif 000004
【図４】
0003720942.tif 000005
【図５】
0003720942.tif 000006
【図６】
0003720942.tif 000007
【図７】
0003720942.tif 000008
【図８】
0003720942.tif 000009
【図９】
0003720942.tif 000010
【図１０】
0003720942.tif 000011
【図１１】
0003720942.tif 000012